(57)【要約】【課題】サイズ別の印刷版を製作せずに異なる寸法の導光板での光源突合せ部の光むらを改善することができる照明器具を提供する。【解決手段】端面を光が入射する入射面とし表面を光が出射する導光面とした板状であって入射面より入射した光を導光面より出射する導光板２と、端面に配置され線状に並んだ複数の光源８、９とを備えた照明器具において、導光面１４に光源８、９からの距離が大きくなるにしたがって印刷面積の面積率が大きくなる光拡散用の第１の模様１９を印刷し、導光面１４の光源突合せ部２２の周辺の第1の模様１９上に光源突合せ部２２より距離が大きくなるにしたがって印刷面積の面積率が小さくなる光拡散用の第２の模様２０を印刷している。【選択図】        図１
2005209476.tif 000002
【特許請求の範囲】
【請求項１】
端面を光が入射する入射面とし表面を光が出射する導光面とした板状であって前記入射面より入射した光を前記導光面より出射する導光板と、前記端面に配置され線状に並んだ複数の光源とを備えた照明器具において、
前記導光面またはその反対面に前記光源からの距離が大きくなるにしたがって印刷面積の面積率が大きくなる光拡散用の第１の模様を印刷し、
前記導光面またはその反対面の前記光源突合せ部の周辺に前記光源突合せ部より距離が大きくなるにしたがって印刷面積の面積率が小さくなる光拡散用の第２の模様を印刷したことを特徴とする照明器具。
【請求項２】
前記導光面またはその反対面の前記光源エンド部の周辺に前記光源エンド部より距離が大きくなるにしたがって印刷面積の面積率が小さくなる第３の模様を印刷した請求項１記載の照明器具。
【請求項３】
前記第３の模様は前記第２の模様を前記光源の長手方向に垂直な線で略等分したものの片方に等しい請求項２記載の照明器具。
【発明の詳細な説明】
【技術分野】
【０００１】
本発明は、主に導光式表示用の照明器具に関するものである。
【背景技術】
【０００２】
従来より各種の導光式表示用照明器具が存在し、特許文献１に示すように、導光板の底面に白色インキで印刷され、導光板内を全反射しながら導光する光を導光板の正面から出射させる光拡散用ドットパターンを設けているものがあった。導光板の入射端面に配置する光源から離れるに従ってドットパターンの面積率を大きくすることにより導光板の正面から出射する光の光むらを低減することができる。
【特許文献１】特開平０８−２４０７２０号公報
【発明の開示】
【発明が解決しようとする課題】
【０００３】
導光式表示用照明器具に複数の光源を用いる場合の光源突合せ部および光源エンド部は、表示面に暗い影が出てしまうため、光むら改善用の印刷を導光板に施す必要がある。
【０００４】
しかし、組み合わせる光源によって光源突合せ部の位置が変わってしまうため、導光板は光源種類別でサイズ違いごとに光むら対策の印刷版を製作する必要がある。
【０００５】
本発明は、上記問題点の解決を目的とするものであり、サイズ別の印刷版を製作せずに異なる寸法の導光板での光源突合せ部の光むらを改善することができる照明器具を提供することである。
【課題を解決するための手段】
【０００６】
この発明の照明器具は、端面を光が入射する入射面とし表面を光が出射する導光面とした板状であって前記入射面より入射した光を前記導光面より出射する導光板と、前記端面に配置され線状に並んだ複数の光源とを備えた照明器具において、
前記導光面またはその反対面に前記光源からの距離が大きくなるにしたがって印刷面積の面積率が大きくなる光拡散用の第１の模様を印刷し、
前記導光面またはその反対面の前記光源突合せ部の周辺に前記光源突合せ部より距離が大きくなるにしたがって印刷面積の面積率が小さくなる光拡散用の第２の模様を印刷したことを特徴とするものである。
【０００７】
上記構成において、前記導光面またはその反対面の前記光源エンド部の周辺に前記光源エンド部より距離が大きくなるにしたがって印刷面積の面積率が小さくなる第３の模様を印刷したものである。
【０００８】
上記構成において、前記第３の模様は前記第２の模様を前記光源の長手方向に垂直な線で略等分したものの片方に等しい。
【発明の効果】
【０００９】
この発明の照明器具によれば、光むら改善用の第２の模様を印刷するための部分的印刷版を製作することで、導光板の光源突合せ部の位置が使用光源によって変わった場合でも、その都度パネル印刷版を製作し、在庫する必要がなく、光源突合せ部の周辺に対し同じ部分的印刷版を用いて印刷することで、表示面における光むらによる照度低下を改善することができる。
【００１０】
このため、使用する光源によって、器具全長すなわち導光板の全長が変わった場合でも、導光板に対し光源突合せ部を任意の位置に設定し、部分印刷を行う事ができる。つまり従来のようにパネルサイズ毎に新規に印刷版を製作する必要がなく、導光板に対する光源突合せ部の位置が一定でなくても容易に対応する事ができ、表示面簡易交換型導光式表示用照明器具に適用することができる。
【００１１】
同様にして光源エンド部に対して第３の模様を印刷することもできる。
【００１２】
さらに、第２の模様を光源の長手方向に垂直な線で略等分したものの片方を第３の模様とすることにより、第３の模様を印刷するための印刷版を用いて第２の模様を印刷することができるので、便利になる。
【発明を実施するための最良の形態】
【００１３】
この発明の第１の実施の形態の避難誘導灯および表示灯等に適用される導光式表示用照明器具を図１から図５により説明する。この照明器具は、器具本体１と、導光板２、３と、表示パネル４、５を有する。
【００１４】
器具本体１は、横長の筒状の本体ケース７内にその長手方向に平行に線上に一対の直管形の光源８、９を配置している。光源８、９は例えば３２Ｗの直管蛍光ランプである。本体ケース７の下面と一側面に長手方向のほぼ全長に延びた開口を形成し、側面開口１０は光源８、９の交換用となる点検口としてカバー１１で開閉自在に閉じ、下面開口１２に導光板２、３の上端を装入している。導光板２、３の上端を下面開口１２に装入することにより、線状に並んだ複数の光源８、９が導光板２、３の端面（１３）に配置される。１８は天井に吊持する吊り手段例えばパイプ、１７は本体エンドである。
【００１５】
導光板２、３は、端面を光が入射する入射面１３とし、表面を光が出射する導光面１４とした板状であって、入射面１３より入射した光を導光面１４より出射するものである。実施の形態では２枚の導光板２、３を重ね合わせ、それぞれ外側を導光面１４とし、下端を断面コ字形のフレーム１５により支持し、両端を断面コ字形のエンドフレーム１６で覆い、フレーム１５の両端にエンドフレーム１６の下端を連結手段により連結し、エンドフレーム１６の上端を取付手段により本体ケース１の下面に取付けている。
【００１６】
表示パネル４、５は導光板２、３の導光面１４を覆うように配置され、周辺がフレーム１５およびエンドフレーム１６に支持されている。導光板２、３の導光面１４から出射する光により表示パネル４、５の表示内容（斜線により省略）が照明される。
【００１７】
このようにして、光源８、９が内蔵された本体ケース７の内部に導光板２、３の入射面１３を収納固定し、この入射面１３から光源８、９の光が入射され導光されて、導光板２、３の導光面１４に積層取付される透光性表示パネル４、５を通じ照明表示される、複数の光源を線状に並べた表示用照明器具が構成される。
【００１８】
導光板２、３の導光面１４と反対側すなわち導光板２、３の重ね合わせ側に光源８、９からの距離が大きくなるにしたがって印刷面積の面積率（単位面積当たりの印刷面積）が大きくなる光拡散用の第１の模様１９を印刷している。印刷は印刷版を用いて例えば白色によるドット印刷を施し、各ドットの大きさを光源からの距離の大きさに応じて次第に大きくなるように形成している。実施の形態では第１の模様１９を導光面１４のほぼ全体に形成している。印刷された白色ドットに光が入射すると光が拡散反射し導光面１４のその部位が明るくなるが、ドットの面積が大きいとより多くの光を拡散するので、導光面１４のその部位がより一層明るくなる。したがって、第１の模様１９の印刷が施されないときは導光面１４は光源８、９から離れるほど暗くなり表示むらが発生するが、第１の模様１９の印刷を施すと光源８、９から離れるほど面積率が大きくなるのでより多くの光を拡散するため、全体として導光面１４の明るさを均斉にでき表示むらをなくすことができる。
【００１９】
また導光面１４の光源突合せ部２２の周辺の第1の模様１９の少なくとも一部の上に光源突合せ部２２より距離が大きくなるにしたがって印刷面積の面積率が小さくなり略放射状を呈する光拡散用の第２の模様２０を印刷している。印刷は第１の模様１９と同様に、印刷版を用いて白色によるドット印刷を施し、各ドットの大きさを光源からの距離に応じて次第に大きくなるように形成している。実施の形態では導光面１４に局部的に形成している。また印刷版は図５に示すような模様を印刷するものであり、この模様を左右対称になるように一対印刷して第２の模様２０を形成する。
【００２０】
また、導光面１４の光源エンド部２３の周辺の第１の模様１９の少なくとも一部の上に光源エンド部２３より距離が大きくなるにしたがって印刷面積の面積率が小さくなる第３の模様２１を印刷している。この印刷も図５に示す模様と同じであり、印刷版を共通に使用することができる。すなわち、第３の模様２１は第２の模様２０を光源８、９の長手方向に垂直な線で略等分したものの片方に等しい。したがって、図５の印刷に用いる印刷版を、使用部位すなわち光源突合せ部２２、光源エンド部２３によってそのまま、または左右対称に使用して印刷することができる。
【００２１】
この実施の形態によれば、導光式表示用照明器具の導光板２、３のドット印刷面（内面）に、光源突合せ部２２の周辺の照度低下による光むらを改善するための、補助的な部分印刷、すなわち光源８、９から距離が離れるにしたがって印刷面積の略小さくなる略放射状の第２の模様２０を持つ部分印刷を新たに設け、第１の模様１９に重ねて印刷する事で、同様の印刷が無い場合に比べ、表示パネル４、５の表面の照度低下を改善することができる。この場合、導光板２、３の印刷の位置は、部分印刷版により行うため、導光板２、３に対する光源突合せ部２２の位置が異なる場合も容易に対応できる。
【００２２】
また、光源エンド部２３の付近での導光板２、３への追加印刷形状を、光源から距離が離れるにしたがって印刷面積の小さくなる略放射状の第３の模様を持つ印刷とすることにより、光源エンド部２３の表示パネル４、５における照度低下による光むらを改善することができる。この場合、図５の模様を左右対称にて印刷することで、製作する部分印刷版形状は小さくする事ができるとともに他に共用できる。
【００２３】
この発明の第２の実施の形態を図６により説明する。この照明器具は、第１の実施の形態において、光源８、９が長さの異なる場合であり、光源８が長く、光源９が短くなっている。このように光源８、９の長さが不均等なため光源突合せ部２２の位置が第１の実施の形態と異なっている。その他は第１の実施の形態と同様である。この場合も、同じ印刷版を用いて第２の模様２０および第３の模様２１を導光板２、３に印刷することができる。
【００２４】
なお、この発明において、第１の模様１９、第２の模様２０および第３の模様２１の印刷は、導光板２、３の導光面１４と反対側すなわちパネルドット印刷面（内面）に限らず、導光面１４すなわち表示面側（外面）でも、拡散透過により同様の効果を得ることができる。
【図面の簡単な説明】
【００２５】
【図１】この発明の第１の実施の形態の表示パネルを外した状態で、第１の模様が導光板の中央部分のみ表され、他部を図示省略した照明器具の斜視図である。
【図２】表示パネルを含む照明器具の分解斜視図である。
【図３】第２の模様および第３の模様を印刷した導光板を示す照明器具の正面図である。
【図４】（ａ）は導光板の第１および第２の模様の部分斜視図、（ｂ）は第３の模様を印刷した導光板を示す照明器具の正面図である。
【図５】第２の模様の半分または第３の模様を示す平面図である。
【図６】第２の実施の形態の第２および第３の模様を印刷した導光板を示す照明器具の正面図である。
【符号の説明】
【００２６】
１    器具本体
２    導光板
３    導光板
４    表示パネル
５    表示パネル
８    光源
９    光源
１３    入射端面
１４    導光面
１９    第１の模様
２０    第２の模様
２１    第３の模様
【図１】
2005209476.tif 000003
【図２】
2005209476.tif 000004
【図３】
2005209476.tif 000005
【図４】
2005209476.tif 000006
【図５】
2005209476.tif 000007
【図６】
2005209476.tif 000008